(57)【要約】【課題】軟性袋状ディスク収納ケースには、ディスクの記録面に傷を付ける問題があり、又ディスクが軟性袋状ディスク収納ケースから飛び出してしまう問題があり、そしてディスクの軟性ディスク収納ケースに対する格納の低作業性という問題があり、更には競争力の高い安価な軟性ディスク収納ケースの提供が求められていた。【解決手段】袋状軟質矩形体２に、出し入れ可能な摺動体３を設け、この摺動体３はディスク１０を挟持するための上部シート５と下部シート６を有すると共に、摺動体３の引き出し時にディスク１０を帯同させる折り曲げ部４を備える。そして、前記矩形体２の係合部２０，２１と、前記摺動体３の係止片７、８との係合により摺動体３の最大引き出し量を規制すると共に、この規制に係わる係合部２０、２１が他方で、ディスク１０の、飛び出し等を防止すべく作用するようにしたディスク収納ケース。【選択図】  図１２
2010168089.tif 000002
【特許請求の範囲】
【請求項１】
重合したメインシートとサブシートの少なくも対向する二辺を閉塞すると共に、少なくも残る一辺を開放する開口を備えた矩形体と、
ディスクを挟持した状態で、前記矩形体の内と外の間を、前記開口を介して摺動し得る摺動体と、
前記の挟持したディスクが、前記矩形体の前記外に向けた摺動体の移動に帯同するよう前記摺動体に設けた保持部と、
前記摺動体に設けた係止片と前記矩形体に設けた係合部との係合により前記摺動体の前記矩形体からの離脱を規制するストッパー手段とから成り、
且つ前記係合部は、該係合部近傍を通過する前記ディスクに難通過性向を付与する係合部であることを特徴とするディスク収納ケース。
【請求項２】
前記矩形体に格納した状態にある前記摺動体から、前記開口を経て延びる突出部を設けたことを特徴とする請求項１記載のディスク収納ケース。
【発明の詳細な説明】
【技術分野】
【０００１】
本発明は、例えば、コンパクトディスク（CD）や、ディジタル多用途ディスク（DVD）等のディスク状記録媒体（以下単にディスクという）を収納するディスク収納ケースに関する。
【背景技術】
【０００２】
従来、ディスク収納ケースとしては、箱状に樹脂成型した硬性箱状ディスク収納ケース、柔軟な薄いシートを箱状に形成した軟性箱状ディスク収納ケース、袋状に柔軟な薄いシートを形成した軟性袋状ディスク収納ケースが夫々提供されている。
【０００３】
そして、ディスクの保管や携帯時に、ディスクに対し衝撃が加えられたり、傷が付けられるというような可能性の少ない場合、硬性箱状ディスク収納ケースや軟性箱状ディスク収納ケースに代えて、低廉で嵩張らない軟性袋状ディスク収納ケースが多用されてきた。
【０００４】
然しながら、この軟性袋状ディスク収納ケースの場合、ディスクの出し入れの際に、ディスクがディスク収納ケースに摺接し、ディスクの記録面に、傷を発生させてしまうという第一の問題点があった。
【０００５】
又、この軟性袋状ディスク収納ケースに収納されたディスクが、携帯時等にこの軟性袋状ディスク収納ケースから意に反して飛び出てしまうという第二の問題点があった。
【０００６】
更に、この軟性袋状ディスク収納ケースに対する、狭い開口を経るディスクの出し入れは容易でなく、殊に工場の製品化過程に於いて大量のディスクをディスク収納ケースに組み込むような場合、作業性が極めて悪いという第三の問題点があった。
【０００７】
又、軟性袋状ディスク収納ケースのメーカーが乱立し、一枚が２０円を切るような実勢価格の市場にあって、この軟性袋状ディスク収納ケースには、競争力を生む更なる使い易さと低廉化が求められていた。
【０００８】
そして、上記第一の問題点及び第三の問題点に対しては、共に前記軟性袋状ディスク収納ケースではない、前記軟性箱状ディスク収納ケースの分類に属する下記特許文献１及び２の技術が提供されている。
【０００９】
これらの技術は、箱状の外装ケース１（ケース体１）に対し、出し入れすることが出来る引き出し２（台紙１２）にディスクD（CD又はDVD１１）を載置し、これを出し入れするようにしたことにより上記第一及び第三の問題点を解消したものである。
【００１０】
繰り返すが、これらの特許文献１及び２の技術は、あくまでも軟性箱状ディスク収納ケースの場合の技術である。
【００１１】
又、上記第二の問題点に対しては、例えば下記の特許文献３の技術が提供されている。
【００１２】
この技術は、合成樹脂フィルム４と不織布１で形成された保管ケースB内に収納した収納物Aの外周直近部分に、前記不織布１と合成樹脂フィルム４とを接合した「内方に突出する幅広の接着部１４／１６」を形成したものである。
【００１３】
そして収納物Aを、保管ケースBに対し出し入れする際、前記「内方に突出する幅広の接着部１４／１６」が、其の直近を通り抜ける収納物Aの通り抜けを、し難くしたものである。
【００１４】
この通り抜けをし難くすることにより、それまでの保管ケースでは収納物が落下したり、飛び出してしまうという第二の問題点を解消したものである。
【特許文献１】特開２００１−１９０７５号公報
【特許文献２】実用新案登録第３１１２７４３号公報
【特許文献３】実用新案登録第３０９５０２６号公報
【発明の開示】
【発明が解決しようとする課題】
【００１５】
解決しようとする課題は、上記軟性袋状ディスク収納ケースの分類に属しながらも、上記第１の問題点、第二の問題点及び第三の問題点を同時に解決して使い易さを高めると共に、軟性袋状ディスク収納ケースという低廉化余地の少ない中での低廉化を実現させたディスク収納ケースの提供にある。
【課題を解決するための手段】
【００１６】
請求項１の手段は、
「重合したメインシートとサブシートの少なくも対向する二辺を閉塞すると共に、少なくも残る一辺を開放する開口を備えた矩形体と、
ディスクを挟持した状態で、前記矩形体の内と外の間を、前記開口を介して摺動し得る摺動体と、
前記の挟持したディスクが、前記矩形体の前記外に向けた摺動体の移動に帯同するよう前記摺動体に設けた保持部と、
前記摺動体に設けた係止片と前記矩形体に設けた係合部との係合により前記摺動体の前記矩形体からの離脱を規制するストッパー手段とから成り、
且つ前記係合部は、該係合部近傍を通過する前記ディスクに難通過性向を付与する係合部であることを特徴とするディスク収納ケース。」
にある。
【００１７】
請求項２の手段は、
「前記矩形体に格納した状態にある前記摺動体から、前記開口を経て延びる突出部を設けたことを特徴とする請求項１記載のディスク収納ケース。」
にある。
【発明の効果】
【００１８】
請求項１記載のディスク収納ケースは、次の効果を有す。
即ち、ディスクを摺動体に載置した状態で、ディスクを矩形体に対し出し入れ出来るので、ディスクの記録面に傷を付ける心配がない。
【００１９】
又、矩形体にはストッパー手段の一部である係合部を設けてあるので、意に反してディスクが矩形体の開口から落下したり、飛び出してしまうというよう心配がない。
【００２０】
更に、ディスクの矩形体に対する出し入れは、開口を経て常に少なくも其の一部が矩形体の中にある摺動体を介して行うことが出来るので、容易に且つ迅速に行うことが出来る。
【００２１】
そして、ストッパー手段は、矩形体に於ける開口からの摺動体の抜け防止と、前記ディスクの落下や、意に反する飛び出しの防止とを兼ねており、上記三事項の効果を備えるディスク収納ケースでありながら、これを安価に提供することが出来る。
【００２２】
請求項２記載のディスク収納ケースは、上記請求項１記載の効果に加え次の効果を有す。
即ち、矩形体への摺動体の格納状態に於いて、摺動体の突出部が矩形体の開口から突出しているので、この様なディスク収納ケースを一冊のバインダー等に複数綴じた場合、この突出部分を利用し、ディスク収納ケースをぱらぱらと捲ることが出来、目指すディスクを迅速に見つけ出すことが出来る。又、突出部には、見出しとしてのタイトル等を表記することも出来るので、これを頼りに上記同様、目指すディスクを迅速に見つけ出すことが出来る。
【実施例】
【００２３】
以下本発明に係わる一実施例の構成を、図１〜図１３に従い詳細に説明する。
図７は、本発明に係るディスク収納ケース１の全体を示す図であり、このディスク収納ケース１は、大略的には図５に示す如く矩形体２と、摺動体３とから成る。
【００２４】
図２及び図３に示す該摺動体３は、透明にして柔軟なポリエチレンシート製であるが、柔軟なシート、例えば紙、透明なポリプロピレン等の合成樹脂製シート、ポリエチレン繊維等の不織布シートで形成してもよい。
【００２５】
そしてこの摺動体３は、上記柔軟なシートを、保持部たる折り曲げ部４を境として、上部シート５と、下部シート６とに二つ折りしたものである。
【００２６】
７及び８は、前記折り曲げ部４側に形成した、ストッパー手段の一部を成す
係止片である。
【００２７】
９は、前記の二つ折りにより形成された、ディスク１０を載置収納するための収納部であり、１１は、前記折り曲げ部４とは反対側の下部シート６端部に設けた突出部を示す。
【００２８】
前記した矩形体２は、図１に示す柔軟なシート１２、例えば紙、ポリエチレン又はポリプロピレン等の合成樹脂製シート、ポリエチレン繊維等の不織布シート等で全体を形成することができる。
【００２９】
そしてこの柔軟なシート１２は、図１に示す如く折り曲げられるべき位置を示す仮想ライン１３、１４を境にした、サブシート１５、メインシート１６及びサブシート１７で構成される。
【００３０】
このメインシート１６上には、図４に示す如く摺動体３を載置し、其の後に仮想ライン１３、１４に沿ってサブシート１５及び１７を夫々メインシート１６側に折曲する。１８及び１９は、この折曲した折曲部である。
【００３１】
ここで、該折曲部１８及び１９が、前記矩形体２に於ける対向する二辺の閉塞を達成させるものである。
【００３２】
即ち、サブシート１５及び１７と、メインシート１６とにより、摺動体３を包囲した状態にする。
【００３３】
この包囲した状態に於いて、図５に示す如くサブシート１５とメインシート１６とを、そしてサブシート１７とメインシート１６とを半円状に各々部分接着する。この部分接着した部分が、ストッパー手段の一部を成す係合部２０及び２１である。
【００３４】
２２及び２３は、上記の通りサブシート１５、１７とメインシート１６とを半円状に部分接着することにより、サブシート１５とメインシート１６間、及びサブシート１７とメインシート１６間に形成された各外周縁である。
【００３５】
接着の方法としては、柔軟なシート１２の材質に応じ、接着剤、ウエルディング、或いは熱接着等の方法を採る。
【００３６】
尚、２ａは、前記摺動体３を、前記矩形体２の内と外の間で摺動させるための矩形体２に設けた開口である。
【００３７】
そして、係合部２０と係合部２１を結ぶ直線にディスク１０の直径を通る直線が重なる図１０の状態に於いて、ディスク１０と係合部２０との間隔Ｌ１と、ディスク１０との係合部２１との間隔Ｌ２との和が、微小なものになるよう係合部２０と係合部２１との間隔ｈが設定される。
【００３８】
又、図１０に示す如く、摺動体３に於ける係止片７と係止片８との成す間隔Ｈと、係合部２０と係合部２１との成す間隔ｈとは、Ｈ＞ｈの関係になるよう間隔Ｈを設定してある。
【００３９】
尚、メインシート１６とサブシート１５、１７とを部分接着した図５に示すサブシート１５，１７側の面を、図６に示す如くシート２４で覆う。このシート２４は、透明なポリエチレンシート製であるが、他の透明なポリプロピレン等の合成樹脂製シートであってもよい。
【００４０】
覆った後は、図６に示す如く接着端２５から接着端２６に至る、格子模様で示した略Ｕ字状の接着部２７を形成する。
【００４１】
この接着部２７の内、サブシート１５と重合する範囲の、シート２４、メインシート１６は、サブシート１５と一体的に接着される。又、サブシート１７と重合する範囲の、シート２４、メインシート１６は、同様にサブシート１７と一体的に接着される。
【００４２】
但し、サブシート１５、１７の何れとも重合しない範囲にあり、且つ図６に於ける左端側はシート２４と、メインシート１６とを直接接着する。
【００４３】
又、当然ではあるが、図６に於いて前記シート２４の接着範囲は、格子模様で示した接着部２７部分のみであり、接着端２５及び２６から開口２ａ側は非接着である。
【００４４】
上記接着の方法としては、柔軟なシート１２及びシート２４の材質に応じ、接着剤、ウエルディング、或いは熱接着等の方法が採られる。
【００４５】
図６に於いて２８は、前記の一体的に接着したシート２４、サブシート１５、メインシート１６の、各内側接着端である。そして、２９は前記の一体的に接着したシート２４、サブシート１７、メインシート１６の、各内側接着端である。そして３０は底側接着端である。
【００４６】
図９は、ディスク１０の外周が折り曲げ部４に接触し、且つこの折り曲げ部４がメインシート１６とサブシート１５、１７とに挟持された状態である。
【００４７】
この挟持状態は、図９に示す如く底側接着端３０と折り曲げ部４間に間隙を残しながらも、摺動体３の底側接着端３０に向けた更なる摺動が、前記挟持により不可能な状態である。
【００４８】
この状態で、係合部２０とディスク１０の各中心を結ぶ直線上に於ける外周縁２２とディスク１０との間隔がＬ３である。
【００４９】
又同様、係合部２１とディスク１０の各中心を結ぶ直線上に於ける外周縁２３と、ディスク１０との間隔がＬ４である。
【００５０】
図１２上の、折曲部１８と摺動体３の上端との成す間隔はＬ５であり、折曲部１９と摺動体３の下端との成す間隔はＬ６である。
【００５１】
尚、図９で示した前記間隔Ｌ３とＬ４の和、及び図１２で示したＬ５とＬ６の和は、共に図１０で示した前記間隔Ｌ１とＬ２の和に比し、大きな値になるよう設定してある。
【００５２】
図７等に示す３１は、ディスク収納ケース１をバインダーに綴じこむ際の貫通孔であり、図８等に示す３２は、ディスクのジャケットである。
【００５３】
以下、本発明の実施例の作用を、図１乃至図１３に従い詳細に説明する。
ディスク収納ケース１に対するディスク１０の格納は、次の操作による。
【００５４】
図７はディスク１０を格納している状態を示すが、図７でディスク１０を格納していない状態に於いて、開口２ａから露出している上部シート５と下部シート６を摘み、摺動体３の引き出し操作を行う。
【００５５】
この摺動体３には、上記の如くディスク１０を格納していないので、摺動体３全体としての厚みが小さい。因って摺動体３は、其の摺動に際し、サブシート１５とメインシート１６間、及びサブシート１７とメインシート１６間を、然程押し広げる必要が無い。従って上記引き出し操作は、摩擦抵抗の少ない軽い操作で行うことが出来る。
【００５６】
そして、この引き出し操作は、図６に示す如く係止片７及び８が、各々係合部２０及び２１に係合するまで続ける。
【００５７】
この係合後は、開口２ａを介して露出している上部シート５を、図２上で、上方に捲り上げる。
【００５８】
この捲り上げにより、折り曲げ部４とは対向する側の、上部シート５と、下部シート６間に、ディスク１０の容易な挿入を可能とする空間が形成される。
【００５９】
次に、この空間から図１２に示す如く、ディスク１０を摺動体３の折り曲げ部４と当接するまで押し込む。
【００６０】
このディスク１０の押し込みにより、図１３に示す如く上部シート５及び下部シート６を介して、メインシート１６及びサブシート１５が、押し広げられる。
これは、折曲部１８側に関してであるが、折曲部１９側についても同様、上部シート５及び下部シート６を介してメインシート１６及びサブシート１７が、押し広げられる。
【００６１】
この様に押し広げられたメインシート１６及びサブシート１５、１７による、上部シート５及び下部シート６を介したディスク１０に対する挟持力は、極めて弱いものである。これは以下の三点の構成による。
【００６２】
即ち、メインシート１６及びサブシート１５、１７は、柔軟なシート１２で構成されている点、
【００６３】
図１３に示す折曲部１８側に於いて、メインシート１６及びサブシート１５と接触する摺動体３の上端から、折曲部１８に至る間隔Ｌ５が比較的大きい点、
【００６４】
同様に折曲部１９側に於いても、メインシート１６及びサブシート１７と接触する摺動体３の下端から折曲部１９に至る間隔Ｌ６が比較的大きい点、
の三点の構成に基づく。
【００６５】
次で、ディスク１０を上部シート５と下部シート６により挟圧するように、上部シート５と下部シート６を同時に摘んで、底側接着端３０に向けた、摺動体３の押し込み操作を開始する。
【００６６】
この押し込み操作により、サブシート１５とメインシート１６間、及びサブシート１７とメインシート１６間を、上記三点の構成により円滑容易に押し広げながら、摺動体３は、底側接着端３０方向に向けて摺動する。
【００６７】
この押し込み操作が進み、ディスク１０が係合部２０及び２１に近づくと、其の接近に伴い、それ迄は図１３に示す如く、接触していなかったディスク１０に、メインシート１６とサブシート１５が、そしてメインシート１６とサブシート１７が各々、接触し始める。
【００６８】
又、これと同時進行的に、係合部２０の外周縁２２とディスク１０との間隔、係合部２１の外周縁２３とディスク１０との間隔の和が、前記間隔Ｌ５，Ｌ６の和以下に減少し始める。
【００６９】
従って、メインシート１６とサブシート１５間が、そしてメインシート１６とサブシート１７間が、次第にディスク１０により、押し広げられ難くなる。因って、サブシート１５，１７及びメインシート１６と、ディスク１０間に生ずる摩擦力も漸増する。
【００７０】
そして、遂には図１０及び図１１に示す状態に至り、外周縁２２とディスク１０との間隔Ｌ１、及び外周縁２３とディスク１０との間隔Ｌ２の和が、それまでの最小になる。
【００７１】
従って、メインシート１６とサブシート１５間が、そしてメインシート１６とサブシート１７間が、ディスク１０により最も押し広げられ難くい状態に至る。
【００７２】
因って、サブシート１５，１７、メインシート１６の夫々と、ディスク１０との間に生ずる各摩擦力も、それ迄の最大となる。
【００７３】
この最大摩擦力は、ディスク１０の自重程度では矩形体２からディスク１０を離脱させることがない摩擦力になるよう、前記間隔Ｌ１とＬ２の和の値が設定してある。
【００７４】
上記図１０及び図１１に示す状態から更に押し込み操作を進めると、係合部２０と係合部２１を結ぶ直線の左側にディスク１０の中心が移動し、且つ其の進行に伴い、係合部２０の外周縁２２とディスク１０との間隔、及び係合部２１の外周縁２３とディスク１０との間隔が、徐々に広がる。
【００７５】
又、これと同時進行的に、底側接着端３０寄りのメインシート１６とサブシート１５間、及びメインシート１６とサブシート１７間の、折り曲げ部４による拡開が次第に困難になる。
【００７６】
そして、遂には図９に示す摺動体３の押し込み操作が不可能な状態に至り、ディスク１０の格納が完了する。
【００７７】
この格納状態に於いて、間隔Ｌ３とＬ４との和は、前記間隔Ｌ１、Ｌ２の和よりも、僅かに大きな値である。
【００７８】
従って、この格納状態に於いては前記最大摩擦よりも幾分小さな摩擦力で、ディスク１０が格納されることになる。
【００７９】
尚、このディスク１０の格納状態にあっては、透明な上部シート５、サブシート１５とサブシート１７間の間隙、透明なシート２４の各々を通し、格納されているディスク１０上に記されているタイトル等の内容を視認することができる。
【００８０】
更に、必要に応じ、図６に示す接着端２５、２６から右側のシート２４を捲り上げることによって、サブシート１５及び１７側と、シート２４との間に、大きく開口を形成し、ここから図８に示す如くディスク１０のジャケット３２を挿入してもよい。
【００８１】
この場合、シート２４を通して、ジャケット３２に記載された情報を確認することは出来るが、格納されているディスク１０上に記載の内容を視認することは出来ない。
【００８２】
他方、必要に応じ、貫通孔３１を利用して、ディスク収納ケース１のバインダー等へのファイリングも可能である。
【００８３】
このバインダーにファイリングした複数のディスク収納ケース１は、下部シート５の突出部１１を利用してぱらぱらと捲ることにより、前記ジャケット３２又はディスク１０に表示の内容を迅速に確認することが出来、因って目的のディスク１０を素早く、見つけ出すことが出来る。
【００８４】
次にディスク収納ケース１に格納された、ディスク１０の取り出しを説明するが、それは次の操作による。
【００８５】
図７に示す状態に於いて、開口２ａから露出している上部シート５と下部シート６とを摘み、底側接着端３０から折り曲げ部４が離間する方向に向けた摺動体３の引き出し操作を行う。
【００８６】
この引き出し操作は、摺動体３の折り曲げ部４による保持作用により収納部９内のディスク１０を、開口２ａ方向に向けて摺動させる。
【００８７】
この引き出し操作の開始時点、即ち前記ディスク１０の格納状態では、前記の如く間隔Ｌ１とＬ２との和よりも幾分大きな、間隔Ｌ３とＬ４の和である。
【００８８】
従って、引き出し操作が進むに従い、係合部２０の外周縁２２とディスク１０との間隔、係合部２１の外周縁２３とディスク１０との間隔の和は、各々漸減する。
【００８９】
この漸減は、ディスク１０によるメインシート１６とサブシート１５間、そしてメインシート１６とサブシート１７間を、徐々に押し広げ難くする。
【００９０】
因って、サブシート１５，１７、メインシート１６の夫々と、ディスク１０との間に生ずる各摩擦力も、徐々に大きくなる。
【００９１】
そして遂には、図１０及び図１１に示す状態に至り、外周縁２２とディスク１０との間隔Ｌ１、及び外周縁２３とディスク１０との間隔Ｌ２の和が、最小になる。
【００９２】
従って、メインシート１６とサブシート１５間が、そしてメインシート１６とサブシート１７間が、ディスク１０により最も押し広げられ難くい状態に至る。
【００９３】
因って、サブシート１５，１７、メインシート１６の夫々と、ディスク１０との間に生ずる各摩擦力も、最大になる。
【００９４】
この最大摩擦力に抗して更に引き出し操作を進めると、上記とは逆の状態に転じ、係合部２０の外周縁２２とディスク１０との間隔、係合部２１の外周縁２３とディスク１０との間隔の和は、各々漸増する。
【００９５】
この漸増は、ディスク１０によるメインシート１６とサブシート１５間、そしてメインシート１６とサブシート１７間を、徐々に押し広げ易くする。
【００９６】
従って、サブシート１５，１７、メインシート１６の夫々と、ディスク１０との間に生ずる各摩擦力も、徐々に小さくなる。
【００９７】
この引き出し操作が進み、ディスク１０が係合部２０及び２１からに徐々に離れると、それ迄は図１１に示す如く、接触していたディスク１０から、メインシート１６とサブシート１５が、そしてメインシート１６とサブシート１７が各々、離間し始める。
【００９８】
この引き出し操作を更に進めると、サブシート１５とメインシート１６間、及びサブシート１７とメインシート１６間を、前記三点の構成により円滑容易に押し広げながら、ディスク１０を帯同した摺動体３は、開口２ａ方向に向けて摺動する。
【００９９】
そして、遂には図１２に示す如く、係止片７及び８が、各々係合部２０及び２１に係合し、引き出し操作を終了する。
【０１００】
この引き出し操作終了後は、開口２ａを介して露出している上部シート５を、図２上で、上方に捲り上げる。
【０１０１】
この捲り上げにより、折り曲げ部４とは対向する側の、上部シート５、下部シート６間に、ディスク１０の容易な取り出しを可能とする空間が形成されるので、ディスク１０を摘み、摺動体３からディスク１０を取り出す。
【０１０２】
尚、ジャケット３２を挿入してある場合は、図６に示す接着端２５、２６から右側のシート２４を捲り上げることによって、サブシート１５及び１７側と、シート２４との間に、大きく開口を形成し、ここからジャケット３２を取り出す。
【０１０３】
以上で、ディスク収納ケース１に格納された、ディスク１０の取り出しは終了する。
【０１０４】
尚、上記実施例に於いては、サブシート１５とサブシート１７間に間隙を形成し、この間隙を通して収納されてあるディスク１０上に記された情報を視認可能にしてあるが、必ずしも前記間隙を設ける必要は無い。又、前記間隙を設けずに視認を確保するため、矩形体２全体を透明なシートにしてもよい。
【図面の簡単な説明】
【０１０５】
【図１】本発明に係るディスク収納ケースの実施例に於ける、矩形体を形成するための柔軟なシートの平面図である。
【図２】本発明に係るディスク収納ケースの実施例に於ける、摺動体の側            面図である。
【図３】図２のＡ−Ａ線断面図である。
【図４】本発明に係るディスク収納ケースの実施例における、摺動体と矩            形体との関連を部分的に切開して示す平面図である。
【図５】本発明に係るディスク収納ケースの実施例に於ける、矩形体、摺            動体、ストッパー手段たる係合部の関連を示す平面図である。
【図６】本発明に係るディスク収納ケースの実施例に於いて、シートの接着代を示すための平面図である。
【図７】本発明に係るディスク収納ケースの実施例に於いて、ディスクを格納した状態の全体を示す平面図である。
【図８】図７のＢ−Ｂ線断面図である。
【図９】図８のＣ−Ｃ線断面図である。
【図１０】本発明に係るディスク収納ケースの実施例に於いて、ディスクにストッパー手段が作用している状態を示す断面図である。
【図１１】図１０のＤ−Ｄ線部分断面図である。
【図１２】本発明に係るディスク収納ケースの実施例に於いて、摺動体を引き出した状態の断面図である。
【図１３】図１２のＥ−Ｅ線部分断面図である。
【符号の説明】
【０１０６】
１        ディスク収納ケース
２        矩形体
２ａ      開口
３        摺動体
４        保持部たる折り曲げ部
７        ストッパー手段の一部を成す係止片
８        ストッパー手段の一部を成す係止片
１０      ディスク
１１      突出部
１５      サブシート
１６      メインシート
１７      サブシート
１８      二辺の閉塞を達成するための一方の折曲部
１９      二辺の閉塞を達成するための他方の折曲部
２０      ストッパー手段の一部を成す係合部
２１      ストッパー手段の一部を成す係合部
【図１】
2010168089.tif 000003
【図２】
2010168089.tif 000004
【図３】
2010168089.tif 000005
【図４】
2010168089.tif 000006
【図５】
2010168089.tif 000007
【図６】
2010168089.tif 000008
【図７】
2010168089.tif 000009
【図８】
2010168089.tif 000010
【図９】
2010168089.tif 000011
【図１０】
2010168089.tif 000012
【図１１】
2010168089.tif 000013
【図１２】
2010168089.tif 000014
【図１３】
2010168089.tif 000015
【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
重合したメインシートとサブシートの少なくも対向する二辺を閉塞すると共に、少なくも残る一辺を開放する開口を備えた矩形体と、
ディスクを挟持した状態で、前記矩形体の内と外の間を、前記開口を介して摺動し得る摺動体と、
前記の挟持したディスクが、前記矩形体の前記外に向けた摺動体の移動に帯同するよう前記摺動体に設けた保持部と、
前記矩形体に格納した状態にある前記摺動体から、前記開口を経て延びる突出部と、
前記摺動体に設けた係止片と前記矩形体に設けた係合部との係合により前記摺動体の前記矩形体に於ける前記開口からの離脱を規制するストッパー手段とから成り、
且つ前記係合部は、該係合部近傍を通過する前記ディスクに難通過性向を付与する係合部であることを特徴とするディスク収納ケース。
【手続補正２】
【補正対象書類名】明細書
【補正対象項目名】全文
【補正方法】変更
【補正の内容】
【発明の詳細な説明】
【技術分野】
【０００１】
本発明は、例えば、コンパクトディスク（CD）や、ディジタル多用途ディスク（DVD）等のディスク状記録媒体（以下単にディスクという）を収納するディスク収納ケースに関する。
【背景技術】
【０００２】
従来、ディスク収納ケースとしては、箱状に樹脂成型した硬性箱状ディスク収納ケース、柔軟な薄いシートを箱状に形成した軟性箱状ディスク収納ケース、袋状に柔軟な薄いシートを形成した軟性袋状ディスク収納ケースが夫々提供されている。
【０００３】
そして、ディスクの保管や携帯時に、ディスクに対し衝撃が加えられたり、傷が付けられるというような可能性の少ない場合、硬性箱状ディスク収納ケースや軟性箱状ディスク収納ケースに代えて、低廉で嵩張らない軟性袋状ディスク収納ケースが多用されてきた。
【０００４】
然しながら、この軟性袋状ディスク収納ケースの場合、ディスクの出し入れの際に、ディスクがディスク収納ケースに摺接し、ディスクの記録面に、傷を発生させてしまうという第一の問題点があった。
【０００５】
又、この軟性袋状ディスク収納ケースに収納されたディスクが、携帯時等にこの軟性袋状ディスク収納ケースから意に反して飛び出てしまうという第二の問題点があった。
【０００６】
更に、この軟性袋状ディスク収納ケースに対する、狭い開口を経るディスクの出し入れは容易でなく、殊に工場の製品化過程に於いて大量のディスクをディスク収納ケースに組み込むような場合、作業性が極めて悪いという第三の問題点があった。
【０００７】
又、軟性袋状ディスク収納ケースのメーカーが乱立し、一枚が２０円を切るような実勢価格の市場にあって、この軟性袋状ディスク収納ケースには、競争力を生む更なる使い易さと低廉化が求められていた。
【０００８】
そして、上記第一の問題点及び第三の問題点に対しては、共に前記軟性袋状ディスク収納ケースではない、前記軟性箱状ディスク収納ケースの分類に属する下記特許文献１及び２の技術が提供されている。
【０００９】
これらの技術は、箱状の外装ケース１（ケース体１）に対し、出し入れすることが出来る引き出し２（台紙１２）にディスクD（CD又はDVD１１）を載置し、これを出し入れするようにしたことにより上記第一及び第三の問題点を解消したものである。
【００１０】
繰り返すが、これらの特許文献１及び２の技術は、あくまでも軟性箱状ディスク収納ケースの場合の技術である。
【００１１】
又、上記第二の問題点に対しては、例えば下記の特許文献３の技術が提供されている。
【００１２】
この技術は、合成樹脂フィルム４と不織布１で形成された保管ケースB内に収納した収納物Aの外周直近部分に、前記不織布１と合成樹脂フィルム４とを接合した「内方に突出する幅広の接着部１４／１６」を形成したものである。
【００１３】
そして収納物Aを、保管ケースBに対し出し入れする際、前記「内方に突出する幅広の接着部１４／１６」が、其の直近を通り抜ける収納物Aの通り抜けを、し難くしたものである。
【００１４】
この通り抜けをし難くすることにより、それまでの保管ケースでは収納物が落下したり、飛び出してしまうという第二の問題点を解消したものである。
【特許文献１】特開２００１−１９０７５号公報
【特許文献２】実用新案登録第３１１２７４３号公報
【特許文献３】実用新案登録第３０９５０２６号公報
【発明の開示】
【発明が解決しようとする課題】
【００１５】
解決しようとする課題は、上記軟性袋状ディスク収納ケースの分類に属しながらも、上記第１の問題点、第二の問題点及び第三の問題点を同時に解決して使い易さを高めると共に、軟性袋状ディスク収納ケースという低廉化余地の少ない中での低廉化を実現させたディスク収納ケースの提供にある。
【課題を解決するための手段】
【００１６】
請求項１の手段は、
「重合したメインシートとサブシートの少なくも対向する二辺を閉塞すると共に、少なくも残る一辺を開放する開口を備えた矩形体と、
ディスクを挟持した状態で、前記矩形体の内と外の間を、前記開口を介して摺動し得る摺動体と、
前記の挟持したディスクが、前記矩形体の前記外に向けた摺動体の移動に帯同するよう前記摺動体に設けた保持部と、
前記矩形体に格納した状態にある前記摺動体から、前記開口を経て延びる突出部と、
前記摺動体に設けた係止片と前記矩形体に設けた係合部との係合により前記摺動体の前記矩形体に於ける前記開口からの離脱を規制するストッパー手段とから成り、
且つ前記係合部は、該係合部近傍を通過する前記ディスクに難通過性向を付与する係合部であることを特徴とするディスク収納ケース。」
にある。
【発明の効果】
【００１７】
請求項１記載のディスク収納ケースは、次の効果を有す。
即ち、ディスクを摺動体に載置した状態で、ディスクを矩形体に対し出し入れ出来るので、ディスクの記録面に傷を付ける心配がない。
【００１８】
又、矩形体にはストッパー手段の一部である係合部を設けてあるので、意に反してディスクが矩形体の開口から落下したり、飛び出してしまうという心配がない。
【００１９】
更に、ディスクの矩形体に対する出し入れは、開口を経て常に少なくも其の一部が矩形体の中にある摺動体を介して行うことが出来るので、容易に且つ迅速に行うことが出来る。
【００２０】
そして、ストッパー手段は、矩形体に於ける開口からの摺動体の抜け防止と、前記ディスクの落下や、意に反する飛び出しの防止とを兼ねており、上記三事項の効果を備えるディスク収納ケースでありながら、これを安価に提供することが出来る。
【００２１】
又、矩形体への摺動体の格納状態に於いて、摺動体の突出部が矩形体の開口から突出しているので、この様なディスク収納ケースを一冊のバインダー等に複数綴じた場合、この突出部分を利用し、ディスク収納ケースをぱらぱらと捲ることが出来、目指すディスクを迅速に見つけ出すことが出来る。又、突出部には、見出しとしてのタイトル等を表記することも出来るので、これを頼りに上記同様、目指すディスクを迅速に見つけ出すことが出来る。
【実施例】
【００２２】
以下本発明に係わる一実施例の構成を、図１〜図１３に従い詳細に説明する。
図７は、本発明に係るディスク収納ケース１の全体を示す図であり、このディスク収納ケース１は、大略的には図５に示す如く矩形体２と、摺動体３とから成る。
【００２３】
図２及び図３に示す該摺動体３は、透明にして柔軟なポリエチレンシート製であるが、柔軟なシート、例えば紙、透明なポリプロピレン等の合成樹脂製シート、ポリエチレン繊維等の不織布シートで形成してもよい。
【００２４】
そしてこの摺動体３は、上記柔軟なシートを、保持部たる折り曲げ部４を境として、上部シート５と、下部シート６とに二つ折りしたものである。
【００２５】
７及び８は、前記折り曲げ部４側に形成した、ストッパー手段の一部を成す
係止片である。
【００２６】
９は、前記の二つ折りにより形成された、ディスク１０を載置収納するための収納部であり、１１は、前記折り曲げ部４とは反対側の下部シート６端部に設けた突出部を示す。
【００２７】
前記した矩形体２は、図１に示す柔軟なシート１２、例えば紙、ポリエチレン又はポリプロピレン等の合成樹脂製シート、ポリエチレン繊維等の不織布シート等で全体を形成することができる。
【００２８】
そしてこの柔軟なシート１２は、図１に示す如く折り曲げられるべき位置を示す仮想ライン１３、１４を境にした、サブシート１５、メインシート１６及びサブシート１７で構成される。
【００２９】
このメインシート１６上には、図４に示す如く摺動体３を載置し、其の後に仮想ライン１３、１４に沿ってサブシート１５及び１７を夫々メインシート１６側に折曲する。１８及び１９は、この折曲した折曲部である。
【００３０】
ここで、該折曲部１８及び１９が、前記矩形体２に於ける対向する二辺の閉塞を達成させるものである。
【００３１】
即ち、サブシート１５及び１７と、メインシート１６とにより、摺動体３を包囲した状態にする。
【００３２】
この包囲した状態に於いて、図５に示す如くサブシート１５とメインシート１６とを、そしてサブシート１７とメインシート１６とを半円状に各々部分接着する。この部分接着した部分が、ストッパー手段の一部を成す係合部２０及び２１である。
【００３３】
２２及び２３は、上記の通りサブシート１５、１７とメインシート１６とを半円状に部分接着することにより、サブシート１５とメインシート１６間、及びサブシート１７とメインシート１６間に形成された各外周縁である。
【００３４】
接着の方法としては、柔軟なシート１２の材質に応じ、接着剤、ウエルディング、或いは熱接着等の方法を採る。
【００３５】
尚、２ａは、前記摺動体３を、前記矩形体２の内と外の間で摺動させるための矩形体２に設けた開口である。
【００３６】
そして、係合部２０と係合部２１を結ぶ直線にディスク１０の直径を通る直線が重なる図１０の状態に於いて、ディスク１０と係合部２０との間隔Ｌ１と、ディスク１０との係合部２１との間隔Ｌ２との和が、微小なものになるよう係合部２０と係合部２１との間隔ｈが設定される。
【００３７】
又、図１０に示す如く、摺動体３に於ける係止片７と係止片８との成す間隔Ｈと、係合部２０と係合部２１との成す間隔ｈとは、Ｈ＞ｈの関係になるよう間隔Ｈを設定してある。
【００３８】
尚、メインシート１６とサブシート１５、１７とを部分接着した図５に示すサブシート１５，１７側の面を、図６に示す如くシート２４で覆う。このシート２４は、透明なポリエチレンシート製であるが、他の透明なポリプロピレン等の合成樹脂製シートであってもよい。
【００３９】
覆った後は、図６に示す如く接着端２５から接着端２６に至る、格子模様で示した略Ｕ字状の接着部２７を形成する。
【００４０】
この接着部２７の内、サブシート１５と重合する範囲の、シート２４、メインシート１６は、サブシート１５と一体的に接着される。又、サブシート１７と重合する範囲の、シート２４、メインシート１６は、同様にサブシート１７と一体的に接着される。
【００４１】
但し、サブシート１５、１７の何れとも重合しない範囲にあり、且つ図６に於ける左端側はシート２４と、メインシート１６とを直接接着する。
【００４２】
又、当然ではあるが、図６に於いて前記シート２４の接着範囲は、格子模様で示した接着部２７部分のみであり、接着端２５及び２６から開口２ａ側は非接着である。
【００４３】
上記接着の方法としては、柔軟なシート１２及びシート２４の材質に応じ、接着剤、ウエルディング、或いは熱接着等の方法が採られる。
【００４４】
図６に於いて２８は、前記の一体的に接着したシート２４、サブシート１５、メインシート１６の、各内側接着端である。そして、２９は前記の一体的に接着したシート２４、サブシート１７、メインシート１６の、各内側接着端である。そして３０は底側接着端である。
【００４５】
図９は、ディスク１０の外周が折り曲げ部４に接触し、且つこの折り曲げ部４がメインシート１６とサブシート１５、１７とに挟持された状態である。
【００４６】
この挟持状態は、図９に示す如く底側接着端３０と折り曲げ部４間に間隙を残しながらも、摺動体３の底側接着端３０に向けた更なる摺動が、前記挟持により不可能な状態である。
【００４７】
この状態で、係合部２０とディスク１０の各中心を結ぶ直線上に於ける外周縁２２とディスク１０との間隔がＬ３である。
【００４８】
又同様、係合部２１とディスク１０の各中心を結ぶ直線上に於ける外周縁２３と、ディスク１０との間隔がＬ４である。
【００４９】
図１２上の、折曲部１８と摺動体３の上端との成す間隔はＬ５であり、折曲部１９と摺動体３の下端との成す間隔はＬ６である。
【００５０】
尚、図９で示した前記間隔Ｌ３とＬ４の和、及び図１２で示したＬ５とＬ６の和は、共に図１０で示した前記間隔Ｌ１とＬ２の和に比し、大きな値になるよう設定してある。
【００５１】
図７等に示す３１は、ディスク収納ケース１をバインダーに綴じこむ際の貫通孔であり、図８等に示す３２は、ディスクのジャケットである。
【００５２】
以下、本発明の実施例の作用を、図１乃至図１３に従い詳細に説明する。
ディスク収納ケース１に対するディスク１０の格納は、次の操作による。
【００５３】
図７はディスク１０を格納している状態を示すが、図７でディスク１０を格納していない状態に於いて、開口２ａから露出している上部シート５と下部シート６を摘み、摺動体３の引き出し操作を行う。
【００５４】
この摺動体３には、上記の如くディスク１０を格納していないので、摺動体３全体としての厚みが小さい。因って摺動体３は、其の摺動に際し、サブシート１５とメインシート１６間、及びサブシート１７とメインシート１６間を、然程押し広げる必要が無い。従って上記引き出し操作は、摩擦抵抗の少ない軽い操作で行うことが出来る。
【００５５】
そして、この引き出し操作は、図６に示す如く係止片７及び８が、各々係合部２０及び２１に係合するまで続ける。
【００５６】
この係合後は、開口２ａを介して露出している上部シート５を、図２上で、上方に捲り上げる。
【００５７】
この捲り上げにより、折り曲げ部４とは対向する側の、上部シート５と、下部シート６間に、ディスク１０の容易な挿入を可能とする空間が形成される。
【００５８】
次に、この空間から図１２に示す如く、ディスク１０を摺動体３の折り曲げ部４と当接するまで押し込む。
【００５９】
このディスク１０の押し込みにより、図１３に示す如く上部シート５及び下部シート６を介して、メインシート１６及びサブシート１５が、押し広げられる。
これは、折曲部１８側に関してであるが、折曲部１９側についても同様、上部シート５及び下部シート６を介してメインシート１６及びサブシート１７が、押し広げられる。
【００６０】
この様に押し広げられたメインシート１６及びサブシート１５、１７による、上部シート５及び下部シート６を介したディスク１０に対する挟持力は、極めて弱いものである。これは以下の三点の構成による。
【００６１】
即ち、メインシート１６及びサブシート１５、１７は、柔軟なシート１２で構成されている点、
【００６２】
図１３に示す折曲部１８側に於いて、メインシート１６及びサブシート１５と接触する摺動体３の上端から、折曲部１８に至る間隔Ｌ５が比較的大きい点、
【００６３】
同様に折曲部１９側に於いても、メインシート１６及びサブシート１７と接触する摺動体３の下端から折曲部１９に至る間隔Ｌ６が比較的大きい点、
の三点の構成に基づく。
【００６４】
次で、ディスク１０を上部シート５と下部シート６により挟圧するように、上部シート５と下部シート６を同時に摘んで、底側接着端３０に向けた、摺動体３の押し込み操作を開始する。
【００６５】
この押し込み操作により、サブシート１５とメインシート１６間、及びサブシート１７とメインシート１６間を、上記三点の構成により円滑容易に押し広げながら、摺動体３は、底側接着端３０方向に向けて摺動する。
【００６６】
この押し込み操作が進み、ディスク１０が係合部２０及び２１に近づくと、其の接近に伴い、それ迄は図１３に示す如く、接触していなかったディスク１０に、メインシート１６とサブシート１５が、そしてメインシート１６とサブシート１７が各々、接触し始める。
【００６７】
又、これと同時進行的に、係合部２０の外周縁２２とディスク１０との間隔、係合部２１の外周縁２３とディスク１０との間隔の和が、前記間隔Ｌ５，Ｌ６の和以下に減少し始める。
【００６８】
従って、メインシート１６とサブシート１５間が、そしてメインシート１６とサブシート１７間が、次第にディスク１０により、押し広げられ難くなる。因って、サブシート１５，１７及びメインシート１６と、ディスク１０間に生ずる摩擦力も漸増する。
【００６９】
そして、遂には図１０及び図１１に示す状態に至り、外周縁２２とディスク１０との間隔Ｌ１、及び外周縁２３とディスク１０との間隔Ｌ２の和が、それまでの最小になる。
【００７０】
従って、メインシート１６とサブシート１５間が、そしてメインシート１６とサブシート１７間が、ディスク１０により最も押し広げられ難くい状態に至る。
【００７１】
因って、サブシート１５，１７、メインシート１６の夫々と、ディスク１０との間に生ずる各摩擦力も、それ迄の最大となる。
【００７２】
この最大摩擦力は、ディスク１０の自重程度では矩形体２からディスク１０を離脱させることがない摩擦力になるよう、前記間隔Ｌ１とＬ２の和の値が設定してある。
【００７３】
上記図１０及び図１１に示す状態から更に押し込み操作を進めると、係合部２０と係合部２１を結ぶ直線の左側にディスク１０の中心が移動し、且つ其の進行に伴い、係合部２０の外周縁２２とディスク１０との間隔、及び係合部２１の外周縁２３とディスク１０との間隔が、徐々に広がる。
【００７４】
又、これと同時進行的に、底側接着端３０寄りのメインシート１６とサブシート１５間、及びメインシート１６とサブシート１７間の、折り曲げ部４による拡開が次第に困難になる。
【００７５】
そして、遂には図９に示す摺動体３の押し込み操作が不可能な状態に至り、ディスク１０の格納が完了する。
【００７６】
この格納状態に於いて、間隔Ｌ３とＬ４との和は、前記間隔Ｌ１、Ｌ２の和よりも、僅かに大きな値である。
【００７７】
従って、この格納状態に於いては前記最大摩擦よりも幾分小さな摩擦力で、ディスク１０が格納されることになる。
【００７８】
尚、このディスク１０の格納状態にあっては、透明な上部シート５、サブシート１５とサブシート１７間の間隙、透明なシート２４の各々を通し、格納されているディスク１０上に記されているタイトル等の内容を視認することができる。
【００７９】
更に、必要に応じ、図６に示す接着端２５、２６から右側のシート２４を捲り上げることによって、サブシート１５及び１７側と、シート２４との間に、大きく開口を形成し、ここから図８に示す如くディスク１０のジャケット３２を挿入してもよい。
【００８０】
この場合、シート２４を通して、ジャケット３２に記載された情報を確認することは出来るが、格納されているディスク１０上に記載の内容を視認することは出来ない。
【００８１】
他方、必要に応じ、貫通孔３１を利用して、ディスク収納ケース１のバインダー等へのファイリングも可能である。
【００８２】
このバインダーにファイリングした複数のディスク収納ケース１は、下部シート５の突出部１１を利用してぱらぱらと捲ることにより、前記ジャケット３２又はディスク１０に表示の内容を迅速に確認することが出来、因って目的のディスク１０を素早く、見つけ出すことが出来る。
【００８３】
次にディスク収納ケース１に格納された、ディスク１０の取り出しを説明するが、それは次の操作による。
【００８４】
図７に示す状態に於いて、開口２ａから露出している上部シート５と下部シート６とを摘み、底側接着端３０から折り曲げ部４が離間する方向に向けた摺動体３の引き出し操作を行う。
【００８５】
この引き出し操作は、摺動体３の折り曲げ部４による保持作用により収納部９内のディスク１０を、開口２ａ方向に向けて摺動させる。
【００８６】
この引き出し操作の開始時点、即ち前記ディスク１０の格納状態では、前記の如く間隔Ｌ１とＬ２との和よりも幾分大きな、間隔Ｌ３とＬ４の和である。
【００８７】
従って、引き出し操作が進むに従い、係合部２０の外周縁２２とディスク１０との間隔、係合部２１の外周縁２３とディスク１０との間隔の和は、各々漸減する。
【００８８】
この漸減は、ディスク１０によるメインシート１６とサブシート１５間、そしてメインシート１６とサブシート１７間を、徐々に押し広げ難くする。
【００８９】
因って、サブシート１５，１７、メインシート１６の夫々と、ディスク１０との間に生ずる各摩擦力も、徐々に大きくなる。
【００９０】
そして遂には、図１０及び図１１に示す状態に至り、外周縁２２とディスク１０との間隔Ｌ１、及び外周縁２３とディスク１０との間隔Ｌ２の和が、最小になる。
【００９１】
従って、メインシート１６とサブシート１５間が、そしてメインシート１６とサブシート１７間が、ディスク１０により最も押し広げられ難くい状態に至る。
【００９２】
因って、サブシート１５，１７、メインシート１６の夫々と、ディスク１０との間に生ずる各摩擦力も、最大になる。
【００９３】
この最大摩擦力に抗して更に引き出し操作を進めると、上記とは逆の状態に転じ、係合部２０の外周縁２２とディスク１０との間隔、係合部２１の外周縁２３とディスク１０との間隔の和は、各々漸増する。
【００９４】
この漸増は、ディスク１０によるメインシート１６とサブシート１５間、そしてメインシート１６とサブシート１７間を、徐々に押し広げ易くする。
【００９５】
従って、サブシート１５，１７、メインシート１６の夫々と、ディスク１０との間に生ずる各摩擦力も、徐々に小さくなる。
【００９６】
この引き出し操作が進み、ディスク１０が係合部２０及び２１からに徐々に離れると、それ迄は図１１に示す如く、接触していたディスク１０から、メインシート１６とサブシート１５が、そしてメインシート１６とサブシート１７が各々、離間し始める。
【００９７】
この引き出し操作を更に進めると、サブシート１５とメインシート１６間、及びサブシート１７とメインシート１６間を、前記三点の構成により円滑容易に押し広げながら、ディスク１０を帯同した摺動体３は、開口２ａ方向に向けて摺動する。
【００９８】
そして、遂には図１２に示す如く、係止片７及び８が、各々係合部２０及び２１に係合し、引き出し操作を終了する。
【００９９】
この引き出し操作終了後は、開口２ａを介して露出している上部シート５を、図２上で、上方に捲り上げる。
【０１００】
この捲り上げにより、折り曲げ部４とは対向する側の、上部シート５、下部シート６間に、ディスク１０の容易な取り出しを可能とする空間が形成されるので、ディスク１０を摘み、摺動体３からディスク１０を取り出す。
【０１０１】
尚、ジャケット３２を挿入してある場合は、図６に示す接着端２５、２６から右側のシート２４を捲り上げることによって、サブシート１５及び１７側と、シート２４との間に、大きく開口を形成し、ここからジャケット３２を取り出す。
【０１０２】
以上で、ディスク収納ケース１に格納された、ディスク１０の取り出しは終了する。
【０１０３】
尚、上記実施例に於いては、サブシート１５とサブシート１７間に間隙を形成し、この間隙を通して収納されてあるディスク１０上に記された情報を視認可能にしてあるが、必ずしも前記間隙を設ける必要は無い。又、前記間隙を設けずに視認を確保するため、矩形体２全体を透明なシートにしてもよい。
【図面の簡単な説明】
【０１０４】
【図１】本発明に係るディスク収納ケースの実施例に於ける、矩形体を形成するための柔軟なシートの平面図である。
【図２】本発明に係るディスク収納ケースの実施例に於ける、摺動体の側            面図である。
【図３】図２のＡ−Ａ線断面図である。
【図４】本発明に係るディスク収納ケースの実施例における、摺動体と矩            形体との関連を部分的に切開して示す平面図である。
【図５】本発明に係るディスク収納ケースの実施例に於ける、矩形体、摺            動体、ストッパー手段たる係合部の関連を示す平面図である。
【図６】本発明に係るディスク収納ケースの実施例に於いて、シートの接着代を示すための平面図である。
【図７】本発明に係るディスク収納ケースの実施例に於いて、ディスクを格納した状態の全体を示す平面図である。
【図８】図７のＢ−Ｂ線断面図である。
【図９】図８のＣ−Ｃ線断面図である。
【図１０】本発明に係るディスク収納ケースの実施例に於いて、ディスクにストッパー手段が作用している状態を示す断面図である。
【図１１】図１０のＤ−Ｄ線部分断面図である。
【図１２】本発明に係るディスク収納ケースの実施例に於いて、摺動体を引き出した状態の断面図である。
【図１３】図１２のＥ−Ｅ線部分断面図である。
【符号の説明】
【０１０５】
１        ディスク収納ケース
２        矩形体
２ａ      開口
３        摺動体
４        保持部たる折り曲げ部
７        ストッパー手段の一部を成す係止片
８        ストッパー手段の一部を成す係止片
１０      ディスク
１１      突出部
１５      サブシート
１６      メインシート
１７      サブシート
１８      二辺の閉塞を達成するための一方の折曲部
１９      二辺の閉塞を達成するための他方の折曲部
２０      ストッパー手段の一部を成す係合部
２１      ストッパー手段の一部を成す係合部
【手続補正書】
【提出日】平成21年7月23日(2009.7.23)
【手続補正１】
【補正対象書類名】特許請求の範囲
【補正対象項目名】請求項１
【補正方法】変更
【補正の内容】
【請求項１】
重合したメインシートとサブシートの少なくも対向する二辺を閉塞すると共に、少なくも残る一辺を開放する開口を備えた矩形体と、
ディスクを挟持した状態で、前記矩形体の内と外の間を、前記開口を介して摺動し得る摺動体と、
前記の挟持したディスクが、前記矩形体の前記外に向けた摺動体の移動に帯同するよう前記摺動体に設けた保持部と、
前記矩形体に格納した状態にある前記摺動体から、前記開口を経て延びる突出部と、
前記摺動体に設けた係止片と前記矩形体に設けたサブシートとメインシートとを部分接着した係合部との係合により前記摺動体の前記矩形体に於ける前記開口からの離脱を規制するストッパー手段とから成り、
且つ前記係合部は、該係合部近傍を通過する前記ディスクに難通過性向を付与する係合部であることを特徴とするディスク収納ケース。
【手続補正２】
【補正対象書類名】明細書
【補正対象項目名】００１６
【補正方法】変更
【補正の内容】
【００１６】
請求項１の手段は、
「重合したメインシートとサブシートの少なくも対向する二辺を閉塞すると共に、少なくも残る一辺を開放する開口を備えた矩形体と、
ディスクを挟持した状態で、前記矩形体の内と外の間を、前記開口を介して摺動し得る摺動体と、
前記の挟持したディスクが、前記矩形体の前記外に向けた摺動体の移動に帯同するよう前記摺動体に設けた保持部と、
前記矩形体に格納した状態にある前記摺動体から、前記開口を経て延びる突出部と、
前記摺動体に設けた係止片と前記矩形体に設けたサブシートとメインシートとを部分接着した係合部との係合により前記摺動体の前記矩形体に於ける前記開口からの離脱を規制するストッパー手段とから成り、
且つ前記係合部は、該係合部近傍を通過する前記ディスクに難通過性向を付与する係合部であることを特徴とするディスク収納ケース。」
にある。